(57)【特許請求の範囲】
【請求項１】
基材をローラに通紙して供給口から巻き取り口に搬送する走行路の途中
に、液状のシリコン樹脂に浸した塗布用のローラを備え、その塗布用のローラに基材を通紙することにより基材にシリコン樹脂を塗布するようにしたシリコン塗布装置において、
前記供給口から巻き取り口に至るのに前記塗布用のローラをその上流側から下流側に一方向に走行する経路を基準経路とし、その基準経路とともに二次経路を設け、その二次経路は、基材を前記基準経路における塗布用のローラの下流側から上流側に通紙し、基材が塗布用のローラを通過した後、少なくとも一つの方向転換用ローラによって再び下流側に導かれるようになっており、この二次経路に基材を通紙させることにより、前記基準経路における基材の表裏を反転させることなく、基準経路で塗布される面の反対の面が塗布可能になっていることを特徴とするシリコン塗布装置。
【発明の詳細な説明】
【０００１】
【発明の属する技術分野】
この発明はシリコンの塗布装置に関する。
【０００２】
【従来の技術】
従来、シリコン樹脂（以下単にシリコンという）を基材（シート）に塗布するには噴霧方式で行い、液状のシリコンを圧力ノズルから噴射し、噴霧状態のシリコンをシートに吹き付けて行っている。
【０００３】
【発明が解決しようとする課題】
しかし、噴霧による塗布では、ノズルから出射されて生成する液滴が不均一であると、塗布状態にムラができ、塗布面を重ね合わせた場合の剥離性が悪い。
【０００４】
また、噴霧されたシリコンが空中に舞うので塗布効率が悪く、回収ゾーンで回収しきれないシリコンは無駄になるだけでなく、そのものを作業者が吸い込むと衛生面での作業環境が悪化する。
【０００５】
そこで、この発明の課題は、シリコンの塗布において、ムラの無い、剥離性の良い塗布面が得られ、塗布作業の際にも、作業者の衛生環境が良好な状態で行えるようにすることである。
【０００６】
【課題を解決するための手段】
上記のような課題を解決するため、この発明は、基材をローラに通紙して供給口から巻き取り口に搬送する走行路の途中に、液状のシリコン樹脂に浸した塗布用のローラを備え、その塗布用のローラに基材を通紙することにより基材にシリコン樹脂を塗布するようにしたシリコン塗布装置において、前記供給口から巻き取り口に至るのに前記塗布用のローラをその上流側から下流側に一方向に走行する経路を基準経路とし、その基準経路とともに二次経路を設け、その二次経路は、基材を前記基準経路における塗布用のローラの下流側から上流側に通紙し、基材が塗布用のローラを通過した後、少なくとも一つの方向転換用ローラによって再び下流側に導かれるようになっており、この二次経路に基材を通紙させることにより、前記基準経路における基材の表裏を反転させることなく、基準経路で塗布される面の反対の面が塗布可能になっているようにしたものである。
【０００７】
このようにしたことにより、塗布用のローラの面にはシリコンが均一に分布しており、シートにもローラの圧力がローラ面のどの場所でも均一にかかるので、シートの表面に塗布されたシリコンも微細な粒が均一に万遍なく広がり、塗布層の厚みも均一となる。従って、シートを折り畳んで重ね合わせたあとのその重ね合わせ面を剥がす際の剥離性も良い。
【０００８】
また、前記供給口から巻き取り口に至るのに塗布用ローラをその上流側から下流側に一方向に走行する経路を基準経路とし、その基準経路とともに二次経路を設け、その二次経路は、基材を前記基準経路における塗布用ローラの下流側から上流側に通紙し、基材が塗布用ローラを通過した後、少なくとも一つの方向転換用ローラによって下流側に導かれるようにすれば、その二次経路に沿って基材を走行させることにより、塗布用のローラに対しては、前記基準経路における基材の表裏を反転させなくても、基準経路で塗布される面の裏面が塗布用のローラの面に接することになるので、その面が塗布できる。
【０００９】
【実施の形態】
以下、図を参照してこの発明の実施の形態を説明し、従来例と同一部分については同一符号を付して説明を省略する。この実施形態では塗布対象の基材を合成樹脂シート（以下、単にシートという）とし、噴霧ではなく、図１〜図３に示すような装置でシリコンを塗布した。
【００１０】
この装置は、図１に示すように、鋼材で組まれた架台１に複数のローラ２、３ａ、３ｂ、４、５および６ａ、６ｂを設け、シートｍを各ローラに通紙させ、ローラ駆動によって走行させながら、その途中でシリコンＳに浸された塗布用ローラ６ａに通紙させて塗布するものである。各ローラは、図２に示すように、架台１の一側面に平行かつ水平に設けられている。
【００１１】
図１において、架台１の左斜め上に設けられた入口ローラ２の位置がシートｍの供給口１１であり、その手前に図示しない供給リールがある。右斜め上には駆動ローラ３ａと、それに接して対になって回転する従動ローラ３ｂが設けられており、この位置がシートｍの巻き取り口１２である。駆動ローラ３ａは架台１の天板１ａに設置されたモータＭによってベルト３ｃで駆動される。また図の左右の側柱に設けられた４と５はともに方向転換用ローラである。
【００１２】
そして、架台１の高さ方向中央の段に塗布用ローラ６ａが設けられており、この塗布用ローラ６ａは、図３に示すように、シリコンＳを溜めた容器７の中にその回転軸より下方の部分が浸されている。この塗布用ローラ６ａの上周面には、その塗布用ローラ６ａを図示しない押圧機構の作用を受けて圧接する圧接ローラ６ｂがその軸を塗布用ローラ６ａの軸に平行にして設けられている。
【００１３】
このような装置でシートｍに塗布を行うには、先ず、図１の左斜め上の供給口１１の入口ローラ２にシートｍを掛け、その入口ローラ２から側柱に沿ってシートｍを下降させ、架台１の高さ方向中央付近に設けられた方向転換用のローラ４を介して水平方向に向かわせ、中央の塗布用ローラ６ａと圧接ローラ６ｂの間に通紙する。
【００１４】
そして、塗布用ローラ６ａの下流側に取り出したシートｍを図の右手の方向転換用ローラに掛け、上方に引き上げて図の右手斜め上の巻き取り口１２に持ってくる。この位置で駆動ローラ３ａとその従動ローラ３ｂの間に通紙させ、さらに図示しない巻き取りローラに巻き取らせる形をとる。
【００１５】
上記のような経路でシートｍをローラに掛け、図の駆動ローラ３ａを作動させれば、供給口１１から巻き取り口１２へシートｍが走行して行くが、その途中において、前記した塗布用ローラ６ａの位置でシリコンＳの塗布が行われる。シリコンＳの塗布の際には、シートｍの走行に連れて回転する塗布用ローラ６ａの周面にシートｍが面接し、ローラ６ｂで押圧され、ローラ６ａの周面を濡らしているシリコンＳがシートｍに接することにより塗布が行われる。
【００１６】
このような塗布の方法であると、噴霧の場合と違い、塗布用ローラ６ａの面を濡らしているシリコンＳがローラ６ｂの圧力によってシートｍの表面に均一に万遍なく広げられ、塗布層の厚みも均一となるので、塗布後にシートｍを折り畳んで重ね合わせた場合、その重ね合わせ面を剥がす際の剥離性も噴霧の場合により向上する。当然のことながら、作業者が噴霧状のシリコンを吸うということもない。
【００１７】
ところで、上記のような装置でシートｍに塗布する場合、シートｍの塗布面を変える必要がある場合は、供給側のリールをひっくり返してセットし、改めて供給口１１から通紙し直す必要があるが、その場合、シートｍが巻き取られた重いリールをひっくり返すのは非常に重労働で手間も掛かる。
【００１８】
そこで、第２の実施形態では、そのような供給側のリールをひっくり返さずとも、上記第１の実施形態での塗布面と反対の面に塗布できるような構成を考えた。
【００１９】
そのための装置として、図４に示すように、上記第１の実施形態の装置において、その架台１の左右の側柱のそれぞれに８、９および１０の方向転換用ローラを増設し、この方向転換用ローラ８、９、１０を通紙する二次経路を設ける装置とした。この増設ローラ８、９、１０も前記２〜５および６ａ、６ｂのローラのように、架台１の一側面に平行かつ水平に設けられている。図４ではその二次経路を走行するシートｍを一点鎖線で示した。
【００２０】
この二次経路は、前記した図１の経路を基準経路とすると、塗布用ローラ６ａ（６ｂ）に対し、基準経路における下流側からシートｍを通紙する。そして、塗布用ローラ６ａ（６ｂ）を通過して基準経路における上流側に取り出されたシートｍは基準経路の方向転換用ローラ４とその下に設けられた二次経路の方向転換用ローラ８の間に通紙され、その位置から側柱に沿って下降し、最下位の方向転換用ローラ９で水平方向に走行の向きを変え、右側柱の方向転換用ローラ１０で再び上向きに走行方向を変え、前記基準経路の巻き取り口１２の駆動ローラ３ａとその対の従動ローラ３ｂに通紙されて図示しない巻き取りローラに巻き取られる。
【００２１】
シートｍをこの二次経路に沿って走行させて塗布を行うと、基準経路を使用する際の供給側リールの上下をひっくり返さなくても、塗布用ローラ６ａに対しては基準経路における塗布面の反対側の面が接することになるので、その面が塗布できる。従って、供給側のリールの上下の姿勢は常に一定にしておけるので、基準経路において塗布する面と反対側の面を塗布する際に、重いリールをひっくり返す必要がない。
【００２２】
【発明の効果】
以上説明したように、この発明の装置では、基材をローラに通紙して供給口から巻き取り口に搬送する走行路の途中に液状のシリコン樹脂に浸した塗布用ローラを備え、そのローラに基材を通紙することにより基材に塗布するようにしたので、塗布用ローラの面にはシリコンが均一に分布しており、シートにもローラの圧力がローラ面のどの場所でも均一にかかるので、シートの表面に塗布されたシリコンも微細な粒が均一に万遍なく広がり、塗布層の厚みも均一となる。従って、シートを折り畳んで重ね合わせたあとのその重ね合わせ面を剥がす際の剥離性も良い。
【００２３】
また、従来の塗布装置の基材の基準経路における塗布用ローラの下流側から上流側へ基材を通紙し、上流側に出てきた基材を方向転換用ローラで再び下流側に戻るような二次経路を設けたので、この二次経路に通紙すれば、基準経路で塗布する基材の裏面を基材を裏返すことなく、すなわち、供給リールの上下の姿勢をひっくり返さずに塗布することができる。
【図面の簡単な説明】
【図１】第１の実施形態を示す縦断正面図
【図２】第１の実施形態を示す縦断側面図
【図３】第１の実施形態を示す要部斜視図
【図４】第２の実施形態を示す縦断正面図
【符号の説明】
１  架台
２  入口ローラ
３ａ  駆動用ローラ
４、５、８、９、１０  方向転換用ローラ
６ａ  塗布用ローラ
６ｂ  圧接ローラ
７  容器
１１  供給口
１２  巻き取り口
ｍ  シート（基材）
Ｓ  シリコン
【図１】
0003819518.tif 000002
【図２】
0003819518.tif 000003
【図３】
0003819518.tif 000004
【図４】
0003819518.tif 000005